【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
パラミクソウイルス科のニューモウイルス亜科に属し、系統学的にメタニューモウイルス属に該当するものとして同定される単離されたネガティブセンス一本鎖RNAウイルスMPVであって、哺乳動物細胞に感染することができる前記ウイルス。
【請求項２】
パラミクソウイルス科のニューモウイルス亜科に属し、系統学的にメタニューモウイルス属に該当するものとして同定される単離されたネガティブセンス一本鎖RNAウイルスMPVであって、鳥類の鼻気管炎の原因物質である七面鳥鼻気管炎ウイルスよりも、CNCM（パリ）にI-2614として寄託されているウイルス単離体に系統学的により近い前記ウイルス。
【請求項３】
パラミクソウイルス科のニューモウイルス亜科に属し、系統学的にメタニューモウイルス属に該当するものとして同定される単離されたネガティブセンス一本鎖RNAウイルスMPVであって、APV C型よりも、CNCM（パリ）にI-2614として寄託されているウイルス単離体に系統学的により近い前記ウイルス。
【請求項４】
パラミクソウイルス科のニューモウイルス亜科に属し、系統学的にメタニューモウイルス属に該当するものとして同定される単離されたネガティブセンス一本鎖RNAウイルスMPVであって、鳥類の鼻気管炎の原因物質である七面鳥鼻気管炎ウイルスよりも、図６Ａ、６Ｂまたは６Ｃに示されたHMPVのヌクレオチド配列を含むウイルス単離体に系統学的により近い前記ウイルス。
【請求項５】
単離されたネガティブセンス一本鎖RNAメタニューモウイルスであって、
(i) パラミクソウイルス科のニューモウイルス亜科に属し、かつ、
(ii) 系統学的にメタニューモウイルス属に該当するものとして同定されるが、但し該メタニューモウイルスの核酸配列が、100のブートストラップおよび3のジャンブルを用いる系統樹解析において、鳥類の鼻気管炎の原因物質である七面鳥鼻気管炎ウイルスよりも、CNCM（パリ）にI-2614として寄託されているウイルス単離体に系統学的により近い場合に、該ウイルスは系統学的にメタニューモウイルス属に該当する、
前記ウイルス。
【請求項６】
単離されたネガティブセンス一本鎖RNAメタニューモウイルスであって、
(i) パラミクソウイルス科のニューモウイルス亜科に属し、かつ、
(ii) 系統学的にメタニューモウイルス属に該当するものとして同定されるが、但し該メタニューモウイルスの核酸配列が、100のブートストラップおよび3のジャンブルを用いる系統樹解析において、APV C型よりも、CNCM（パリ）にI-2614として寄託されているウイルス単離体に系統学的により近い場合に、該ウイルスは系統学的にメタニューモウイルス属に該当する、
前記ウイルス。
【請求項７】
単離されたネガティブセンス一本鎖RNAメタニューモウイルスであって、該ウイルスのNタンパク質のアミノ酸配列が、図２０に示された00-1または99-1 MPV単離体のNタンパク質のアミノ酸配列に対して88％を超える同一性を有し、但しその配列同一性はNタンパク質の全長にわたって決定されるものである、前記ウイルス。
【請求項８】
単離されたネガティブセンス一本鎖RNAメタニューモウイルスであって、該ウイルスのPタンパク質のアミノ酸配列が、図２１に示された00-1または99-1 MPV単離体のPタンパク質のアミノ酸配列に対して68％を超える同一性を有し、但しその配列同一性はPタンパク質の全長にわたって決定されるものである、前記ウイルス。
【請求項９】
単離されたネガティブセンス一本鎖RNAメタニューモウイルスであって、該ウイルスのMタンパク質のアミノ酸配列が、図２２に示された00-1または99-1 MPV単離体のMタンパク質のアミノ酸配列に対して87％を超える同一性を有し、但しその配列同一性はMタンパク質の全長にわたって決定されるものである、前記ウイルス。
【請求項１０】
単離されたネガティブセンス一本鎖RNAメタニューモウイルスであって、該ウイルスのFタンパク質のアミノ酸配列が、図２３に示された00-1または99-1 MPV単離体のFタンパク質のアミノ酸配列に対して81％を超える同一性を有し、但しその配列同一性はFタンパク質の全長にわたって決定されるものである、前記ウイルス。
【請求項１１】
単離されたネガティブセンス一本鎖RNAメタニューモウイルスであって、該ウイルスのM2-1タンパク質のアミノ酸配列が、図２４に示された00-1または99-1 MPV単離体のM2-1タンパク質のアミノ酸配列に対して84％を超える同一性を有し、但しその配列同一性はM2-1タンパク質の全長にわたって決定されるものである、前記ウイルス。
【請求項１２】
単離されたネガティブセンス一本鎖RNAメタニューモウイルスであって、該ウイルスのM2-2タンパク質のアミノ酸配列が、図２５に示された00-1または99-1 MPV単離体のM2-2タンパク質のアミノ酸配列に対して56％を超える同一性を有し、但しその配列同一性はM2-2タンパク質の全長にわたって決定されるものである、前記ウイルス。
【請求項１３】
単離されたネガティブセンス一本鎖RNAメタニューモウイルスであって、該ウイルスのLタンパク質のアミノ酸配列が、図２８に示された00-1 MPV単離体のLタンパク質のアミノ酸配列に対して90％を超える同一性を有し、但しその配列同一性はLタンパク質の全長にわたって決定されるものである、前記ウイルス。
【請求項１４】
単離されたネガティブセンス一本鎖RNAメタニューモウイルスであって、該ウイルスのSHタンパク質のアミノ酸配列が、図２６に示された00-1または99-1 MPV単離体のSHタンパク質のアミノ酸配列に対して29％を超える同一性を有し、但しその配列同一性はSHタンパク質の全長にわたって決定されるものである、前記ウイルス。
【請求項１５】
単離されたネガティブセンス一本鎖RNAメタニューモウイルスであって、該ウイルスのGタンパク質のアミノ酸配列が、図２７に示された00-1または99-1 MPV単離体のGタンパク質のアミノ酸配列に対して29％を超える同一性を有し、但しその配列同一性はGタンパク質の全長にわたって決定されるものである、前記ウイルス。
【請求項１６】
単離されたネガティブセンス一本鎖RNAメタニューモウイルスであって、以下のタンパク質：
(i) 図２０に示された00-1または99-1 MPV単離体のNタンパク質のアミノ酸配列に対して88％を超えるアミノ酸配列同一性を有するNタンパク質；
(ii) 図２１に示された00-1または99-1 MPV単離体のPタンパク質のアミノ酸配列に対して68％を超えるアミノ酸配列同一性を有するPタンパク質；
(iii) 図２２に示された00-1または99-1 MPV単離体のMタンパク質のアミノ酸配列に対して87％を超えるアミノ酸配列同一性を有するMタンパク質；
(iv) 図２３に示された00-1または99-1 MPV単離体のFタンパク質のアミノ酸配列に対して81％を超えるアミノ酸配列同一性を有するFタンパク質；
(v) 図２４に示された00-1または99-1 MPV単離体のM2-1タンパク質のアミノ酸配列に対して84％を超えるアミノ酸配列同一性を有するM2-1タンパク質；
(vi) 図２５に示された00-1または99-1 MPV単離体のM2-2タンパク質のアミノ酸配列に対して56％を超えるアミノ酸配列同一性を有するM2-2タンパク質；
(vii) 図２８に示された00-1 MPV単離体のLタンパク質のアミノ酸配列に対して90％を超えるアミノ酸配列同一性を有するLタンパク質；
(viii) 図２６に示された00-1または99-1 MPV単離体のSHタンパク質のアミノ酸配列に対して29％を超えるアミノ酸配列同一性を有するSHタンパク質；および
(ix) 図２７に示された00-1または99-1 MPV単離体のGタンパク質のアミノ酸配列に対して29％を超えるアミノ酸配列同一性を有するGタンパク質；
のうちの少なくとも２つのタンパク質をコードし、但しその配列同一性はそれぞれのタンパク質の全長にわたって決定されるものである、前記ウイルス。
【請求項１７】
単離されたネガティブセンス一本鎖RNAメタニューモウイルスであって、以下のタンパク質：
(i) 図２０に示された00-1または99-1 MPV単離体のNタンパク質のアミノ酸配列に対して88％を超えるアミノ酸配列同一性を有するNタンパク質；
(ii) 図２１に示された00-1または99-1 MPV単離体のPタンパク質のアミノ酸配列に対して68％を超えるアミノ酸配列同一性を有するPタンパク質；
(iii) 図２２に示された00-1または99-1 MPV単離体のMタンパク質のアミノ酸配列に対して87％を超えるアミノ酸配列同一性を有するMタンパク質；
(iv) 図２３に示された00-1または99-1 MPV単離体のFタンパク質のアミノ酸配列に対して81％を超えるアミノ酸配列同一性を有するFタンパク質；
(v) 図２４に示された00-1または99-1 MPV単離体のM2-1タンパク質のアミノ酸配列に対して84％を超えるアミノ酸配列同一性を有するM2-1タンパク質；
(vi) 図２５に示された00-1または99-1 MPV単離体のM2-2タンパク質のアミノ酸配列に対して56％を超えるアミノ酸配列同一性を有するM2-2タンパク質；
(vii) 図２８に示された00-1 MPV単離体のLタンパク質のアミノ酸配列に対して90％を超えるアミノ酸配列同一性を有するLタンパク質；
(viii) 図２６に示された00-1または99-1 MPV単離体のSHタンパク質のアミノ酸配列に対して29％を超えるアミノ酸配列同一性を有するSHタンパク質；または
(ix) 図２７に示された00-1または99-1 MPV単離体のGタンパク質のアミノ酸配列に対して29％を超えるアミノ酸配列同一性を有するGタンパク質；
をコードし、但しその配列同一性はそれぞれのタンパク質の全長にわたって決定されるものである、前記ウイルス。
【請求項１８】
単離されたネガティブセンス一本鎖RNAメタニューモウイルスであって、該ウイルスのゲノムが図６Ａ、６Ｂまたは６Ｃに示されたHMPVのヌクレオチド配列を含む、前記ウイルス。
【請求項１９】
弱毒化ウイルスである、請求項１〜１８のいずれか１項に記載のウイルス。
【請求項２０】
請求項１〜１８のいずれか１項に記載のウイルスを含む、免疫原性組成物。
【請求項２１】
前記ウイルスが弱毒化ウイルスである、請求項２０に記載の免疫原性組成物。
【請求項２２】
図２０に示された00-1または99-1 MPV単離体のNタンパク質のアミノ酸配列に対して88％を超える同一性を有するアミノ酸配列を含むタンパク質をコードする、単離された核酸。
【請求項２３】
図２１に示された00-1または99-1 MPV単離体のPタンパク質のアミノ酸配列に対して68％を超える同一性を有するアミノ酸配列を含むタンパク質をコードする、単離された核酸。
【請求項２４】
図２２に示された00-1または99-1 MPV単離体のMタンパク質のアミノ酸配列に対して87％を超える同一性を有するアミノ酸配列を含むタンパク質をコードする、単離された核酸。
【請求項２５】
図２３に示された00-1または99-1 MPV単離体のFタンパク質のアミノ酸配列に対して81％を超える同一性を有するアミノ酸配列を含むタンパク質をコードする、単離された核酸。
【請求項２６】
図２４に示された00-1または99-1 MPV単離体のM2-1タンパク質のアミノ酸配列に対して84％を超える同一性を有するアミノ酸配列を含むタンパク質をコードする、単離された核酸。
【請求項２７】
図２５に示された00-1または99-1 MPV単離体のM2-2タンパク質のアミノ酸配列に対して56％を超える同一性を有するアミノ酸配列を含むタンパク質をコードする、単離された核酸。
【請求項２８】
図２８に示された00-1 MPV単離体のLタンパク質のアミノ酸配列に対して90％を超える同一性を有するアミノ酸配列を含むタンパク質をコードする、単離された核酸。
【請求項２９】
図２６に示された00-1または99-1 MPV単離体のSHタンパク質のアミノ酸配列に対して29％を超える同一性を有するアミノ酸配列を含むタンパク質をコードする、単離された核酸。
【請求項３０】
図２７に示された00-1または99-1 MPV単離体のGタンパク質のアミノ酸配列に対して29％を超える同一性を有するアミノ酸配列を含むタンパク質をコードする、単離された核酸。
【請求項３１】
請求項２２〜３０のいずれか１項に記載の核酸に対して高ストリンジェンシー条件下で特異的にハイブリダイズする、単離された核酸。
【請求項３２】
前記高ストリンジェンシー条件が、6×SSC、50 mM Tris-HCl (pH= 7.5)、1 mM EDTA、0.02% PVP、0.02％ Ficoll、0.02% BSAおよび100μg/ml変性サケ精子DNAからなるバッファー中での65℃にて48時間にわたるハイブリダイゼーション、2×SSC、0.01% Ficollおよび0.01% BSAからなるバッファー中での37℃にて45分間にわたる洗浄、および0.1×SSCからなるバッファー中での50℃にて45分間にわたる洗浄を含むものである、請求項３１に記載の単離された核酸。
【請求項３３】
請求項２２〜３０のいずれか１項に記載の核酸とサンプルとを接触させることを含む、該サンプル中の哺乳動物メタニューモウイルスの検出方法。
【請求項３４】
哺乳動物メタニューモウイルスが、ヒト・メタニューモウイルスである、請求項３３に記載の方法。
【請求項３５】
請求項２０〜３０のいずれか１項に記載の核酸を含むベクター。
【請求項３６】
請求項２０〜３０のいずれか１項に記載の核酸を含む宿主細胞。
【請求項３７】
図２０に示された00-1または99-1 MPV単離体のNタンパク質のアミノ酸配列に対して88％を超える同一性を有するアミノ酸配列を含む、単離されたタンパク質。
【請求項３８】
図２１に示された00-1または99-1 MPV単離体のPタンパク質のアミノ酸配列に対して68％を超える同一性を有するアミノ酸配列を含む、単離されたタンパク質。
【請求項３９】
図２２に示された00-1または99-1 MPV単離体のMタンパク質のアミノ酸配列に対して87％を超える同一性を有するアミノ酸配列を含む、単離されたタンパク質。
【請求項４０】
図２３に示された00-1または99-1 MPV単離体のFタンパク質のアミノ酸配列に対して81％を超える同一性を有するアミノ酸配列を含む、単離されたタンパク質。
【請求項４１】
図２４に示された00-1または99-1 MPV単離体のM2-1タンパク質のアミノ酸配列に対して84％を超える同一性を有するアミノ酸配列を含む、単離されたタンパク質。
【請求項４２】
図２５に示された00-1または99-1 MPV単離体のM2-2タンパク質のアミノ酸配列に対して56％を超える同一性を有するアミノ酸配列を含む、単離されたタンパク質。
【請求項４３】
図２８に示された00-1 MPV単離体のLタンパク質のアミノ酸配列に対して90％を超える同一性を有するアミノ酸配列を含む、単離されたタンパク質。
【請求項４４】
図２６に示された00-1または99-1 MPV単離体のSHタンパク質のアミノ酸配列に対して29％を超える同一性を有するアミノ酸配列を含む、単離されたタンパク質。
【請求項４５】
図２７に示された00-1または99-1 MPV単離体のGタンパク質のアミノ酸配列に対して29％を超える同一性を有するアミノ酸配列を含む、単離されたタンパク質。
【請求項４６】
請求項３７〜４５のいずれか１項に記載のタンパク質に特異的に結合する抗体。
【請求項４７】
請求項４６に記載の抗体とサンプルとを接触させることを含む、該サンプル中の哺乳動物メタニューモウイルスの検出方法。
【請求項４８】
請求項３３または４７に記載の方法により、パラミクソウイルス科のニューモウイルス亜科に含まれる哺乳動物ネガティブセンス一本鎖RNAウイルスとして同定され、かつ系統学的にメタニューモウイルス属に該当するものとして同定される、ウイルス単離体。
【請求項４９】
哺乳動物のMPV感染をウイルス学的に診断する方法であって、請求項２２〜３０のいずれか１項に記載の核酸とサンプルとを接触させることにより、該哺乳動物のサンプル中のウイルス単離体またはその成分の存在を判定することを含む、前記方法。
【請求項５０】
哺乳動物のMPV感染を血清学的に診断する方法であって、請求項３７〜４５のいずれか１項に記載のタンパク質、または請求項１〜１８のいずれか１項に記載のウイルスもしくはその一部と該哺乳動物由来のサンプルとを反応させることにより、該サンプル中のMPVもしくはその成分に対して特異的な抗体の存在を判定することを含む、前記方法。
【請求項５１】
パラミクソウイルス科のニューモウイルス亜科に属し、系統学的にメタニューモウイルス属に該当するものとして同定される哺乳動物ネガティブセンス一本鎖RNAウイルスMPVのゲノムまたはゲノムの一部をコードする核酸であって、さらに他のウイルスの配列をコードする前記核酸。
【請求項５２】
パラミクソウイルス科のニューモウイルス亜科に属し、系統学的にメタニューモウイルス属に該当するものとして同定される哺乳動物ネガティブセンス一本鎖RNAウイルスMPVのゲノムまたはゲノムの一部をコードする核酸であって、複製欠損ウイルスの産生のためのウイルスゲノムの一部を欠失していてもよく、そして弱毒化ウイルスの産生のための突然変異、欠失または挿入を含有していてもよい前記核酸。
【請求項５３】
下記(a)および(b)を含む感染性キメラウイルス：
(a) 哺乳類MPV由来の連続した数キロ塩基対のヌクレオチド配列を少なくとも２つ、および
(b) 他のウイルスの配列。
【請求項５４】
哺乳動物MPVのゲノムを含む感染性キメラウイルスであって、該哺乳動物MPVのゲノム中の１以上のオープンリーディングフレームが鳥類MPV由来の類似体オープンリーディングフレームで置換されている、前記キメラウイルス。
【請求項５５】
鳥類MPVのゲノムを含む感染性キメラウイルスであって、該鳥類MPVのゲノム中の１以上のオープンリーディングフレームが哺乳動物MPV由来の類似体オープンリーディングフレームで置換されている、前記キメラウイルス。
【請求項５６】
(i) パラミクソウイルス科のニューモウイルス亜科に属し、系統学的にメタニューモウイルス属に該当するものとして同定される単離された哺乳動物ネガティブセンス一本鎖RNAウイルスMPVと(ii) 製薬上許容される担体とを含む、医薬組成物。
【請求項５７】
パラミクソウイルス科のニューモウイルス亜科に属し、系統学的にメタニューモウイルス属に該当するものとして同定される哺乳動物ネガティブセンス一本鎖RNAウイルスMPVのゲノムもしくはゲノムの一部をコードし、かつ他のウイルスの配列をさらにコードする核酸を含む、医薬組成物。
【請求項５８】
パラミクソウイルス科のニューモウイルス亜科に属し、系統学的にメタニューモウイルス属に該当するものとして同定される哺乳動物ネガティブセンス一本鎖RNAウイルスMPVのゲノムまたはゲノムの一部をコードし、かつ複製欠損ウイルスの産生のためのウイルスゲノムの一部を欠失していてもよく、そして弱毒化ウイルスの産生のための突然変異、欠失または挿入を含有していてもよい核酸を含む、医薬組成物。
【請求項５９】
(a) 単離された哺乳動物メタニューモウイルスと(b) 製薬上許容される担体とを含む医薬組成物であって、
(i) 該メタニューモウイルスはパラミクソウイルス科のニューモウイルス亜科に属し、かつ、
(ii) 該メタニューモウイルスは系統学的にメタニューモウイルス属に該当するものとして同定されるが、但し該メタニューモウイルスの核酸配列が、100のブートストラップおよび3のジャンブルを用いる系統樹解析において、鳥類の鼻気管炎の原因物質である七面鳥鼻気管炎ウイルスよりも、CNCM（パリ）にI-2614として寄託されているウイルス単離体により近縁である場合に、該ウイルスが系統学的にメタニューモウイルス属に該当する、
前記医薬組成物。
【請求項６０】
請求項１〜１８のいずれか１項に記載のウイルスから得られる単離もしくは組換え核酸またはそのMPV特異的機能性断片。
【請求項６１】
請求項６０に記載の核酸によってコードされる単離もしくは組換えタンパク質性分子またはそのMPV特異的機能性断片。
【請求項６２】
請求項６１に記載のタンパク質性分子またはそのMPV特異的機能性断片を含む抗原。
【請求項６３】
請求項１〜１８のいずれか１項に記載のウイルス、請求項６０に記載の核酸、請求項６１に記載のタンパク質性分子もしくはその断片、請求項６２に記載の抗原、または請求項４６に記載の抗体を含む、MPV感染を診断するための診断用キット。
【請求項６４】
MPV感染の治療または予防方法における使用のための、請求項５６〜５９のいずれか１項に記載の組成物。
【請求項６５】
呼吸器疾患の治療または予防方法における使用のための、請求項５６〜５９のいずれか１項に記載の組成物。
【請求項６６】
サンプル中の哺乳動物メタニューモウイルスを検出する方法であって、下記配列：
(a) 図２０に示された00-1または99-1 MPV単離体のNタンパク質のアミノ酸配列に対して88％を超える同一性を有する配列；
(b) 図２１に示された00-1または99-1 MPV単離体のPタンパク質のアミノ酸配列に対して68％を超える同一性を有する配列；
(c) 図２２に示された00-1または99-1 MPV単離体のMタンパク質のアミノ酸配列に対して87％を超える同一性を有する配列；
(d) 図２３に示された00-1または99-1 MPV単離体のFタンパク質のアミノ酸配列に対して81％を超える同一性を有する配列；
(e) 図２４に示された00-1または99-1 MPV単離体のM2-1タンパク質のアミノ酸配列に対して84％を超える同一性を有する配列；
(f) 図２５に示された00-1または99-1 MPV単離体のM2-2タンパク質のアミノ酸配列に対して56％を超える同一性を有する配列；
(g) 図２８に示された00-1 MPV単離体のLタンパク質のアミノ酸配列に対して90％を超える同一性を有する配列；
(h) 図２６に示された00-1または99-1 MPV単離体のSHタンパク質のアミノ酸配列に対して29％を超える同一性を有する配列；または
(i) 図２７に示された00-1または99-1 MPV単離体のGタンパク質のアミノ酸配列に対して29％を超える同一性を有する配列；
を含むタンパク質またはタンパク質の断片を特異的に認識する抗体またはその断片と該サンプルとを接触させることを含み、但しその配列同一性はタンパク質の全長にわたって決定されるものである、前記方法。
【請求項６７】
サンプル中の哺乳動物メタニューモウイルスを検出する方法であって、第１の群の１種以上の核酸と該サンプルとを接触させることを含み、但し該核酸は第２の群の１種以上の核酸とストリンジェントな条件下でハイブリダイズするものであり、第２の群の１種以上の核酸は、下記配列：
(a) 図２０に示された00-1または99-1 MPV単離体のNタンパク質のアミノ酸配列に対して88％を超える同一性を有する配列；
(b) 図２１に示された00-1または99-1 MPV単離体のPタンパク質のアミノ酸配列に対して68％を超える同一性を有する配列；
(c) 図２２に示された00-1または99-1 MPV単離体のMタンパク質のアミノ酸配列に対して87％を超える同一性を有する配列；
(d) 図２３に示された00-1または99-1 MPV単離体のFタンパク質のアミノ酸配列に対して81％を超える同一性を有する配列；
(e) 図２４に示された00-1または99-1 MPV単離体のM2-1タンパク質のアミノ酸配列に対して84％を超える同一性を有する配列；
(f) 図２５に示された00-1または99-1 MPV単離体のM2-2タンパク質のアミノ酸配列に対して56％を超える同一性を有する配列；
(g) 図２８に示された00-1 MPV単離体のLタンパク質のアミノ酸配列に対して90％を超える同一性を有する配列；
(h) 図２６に示された00-1または99-1 MPV単離体のSHタンパク質のアミノ酸配列に対して29％を超える同一性を有する配列；または
(i) 図２７に示された00-1または99-1 MPV単離体のGタンパク質のアミノ酸配列に対して29％を超える同一性を有する配列；
を含むタンパク質またはその断片をコードし、その配列同一性はタンパク質の全長にわたって決定されるものである、前記方法。
【請求項６８】
第１の群の核酸が少なくとも18ヌクレオチド長、少なくとも20ヌクレオチド長、少なくとも23ヌクレオチド長、または少なくとも25ヌクレオチド長である、請求項６７に記載の方法。
【請求項６９】
サンプル中の哺乳動物メタニューモウイルスを検出する方法であって、下記(i)〜(iii)：
(i) 細胞と該サンプルとを接触させ、
(ii)該細胞に対する細胞変性効果を、その細胞変性効果がhRSVまたはhPIVの細胞変性効果と類似するかどうかモニターし、そして
(iii) PIV、インフルエンザウイルス、およびRSVの存在について試験すること
を含み、ここでPIV、インフルエンザウイルス、およびRSVが該サンプル中に存在しなければすなわち哺乳動物メタニューモウイルスが該サンプル中に存在する、前記方法。
【請求項７０】
ヒトから得たサンプル中のヒト・メタニューモウイルスを検出する方法であって、下記(i)〜(iii)：
(i) 細胞と該サンプルとを接触させ、
(ii) 該細胞に対する細胞変性効果を、その細胞変性効果がhRSVまたはhPIVの細胞変性効果と類似するかどうかモニターし、そして
(iii) hPIV 1型、hPIV 2型、hPIV 3型、hPIV 4型、hRSV、インフルエンザウイルスA型、およびインフルエンザウイルスB型の存在について試験すること
を含み、ここでhPIV 1型、hPIV 2型、hPIV 3型、hPIV 4型、hRSV、インフルエンザウイルスA型、およびインフルエンザウイルスB型が該サンプル中に存在しなければすなわちヒト・メタニューモウイルスが該サンプル中に存在する、前記方法。
【請求項７１】
被験体における哺乳動物メタニューモウイルス感染のリスクを評価する方法であって、下記(i)〜(iii)：
(i) 細胞と、該被験体から得たサンプルとを接触させ、
(ii)該細胞に対する細胞変性効果を、その細胞変性効果がhRSVまたはhPIVの細胞変性効果と類似するかどうかモニターし、そして
(iii) PIV、インフルエンザウイルス、およびRSVの存在について試験すること
を含み、ここでPIV、インフルエンザウイルス、およびRSVが該サンプル中に存在しなければすなわち該被験体には哺乳動物メタニューモウイルスに感染するリスクがある、前記方法。
【請求項７２】
サンプル中の哺乳動物メタニューモウイルスを検出する方法であって、下記(i)〜(iii)：
(i) 細胞と該サンプルとを接触させ、
(ii) 該細胞に対する細胞変性効果を、その細胞変性効果がhRSVまたはhPIVの細胞変性効果と類似するかどうかモニターし、そして
(iii) パラミクソウイルス、hPIV 1型、hPIV 2型、hPIV 3型、hPIV 4型、センダイウイルス、サルウイルス5型、ニューカッスル病ウイルス、hRSV、麻疹ウイルス、おたふくかぜウイルス、ニパウイルス、ヘンドラウイルス、ツパイウイルス、およびマプエラウイルスの存在について試験すること
を含み、ここでパラミクソウイルス、hPIV 1型、hPIV 2型、hPIV 3型、hPIV 4型、センダイウイルス、サルウイルス5型、ニューカッスル病ウイルス、hRSV、麻疹ウイルス、おたふくかぜウイルス、ニパウイルス、ヘンドラウイルス、ツパイウイルス、およびマプエラウイルスが該サンプル中に存在しなければすなわち哺乳動物メタニューモウイルスが該サンプル中に存在する、前記方法。
【請求項７３】
細胞変性効果が、合胞体形成とそれに続く急速な内部破壊およびその後の単層からの細胞の剥離によって特徴付けられる、請求項６９、７０、７１、または７２に記載の方法。
【請求項７４】
前記細胞が、前記細胞と前記サンプルとを接触させてから3代継代した後に細胞変性効果を示す、請求項６９、７０、７１、または７２に記載の方法。
【請求項７５】
前記細胞がtMK細胞、VERO細胞、またはA549細胞である、請求項６９、７０、７１、または７２に記載の方法。
【請求項７６】
前記の試験工程が、PIV、RSVおよび／またはインフルエンザウイルスの核酸を検出することを含む、請求項６９、７０、７１、または７２に記載の方法。
【請求項７７】
前記の試験工程が、低ストリンジェンシーでのRT-PCRアッセイを含む、請求項７６に記載の方法。
【請求項７８】
前記の試験工程が、PIV、RSVおよび／またはインフルエンザウイルスのタンパク質を検出することを含む、請求項６９、７０、７１、または７２に記載の方法。
【請求項７９】
前記の試験工程が免疫蛍光アッセイを含む、請求項７８に記載の方法。
【請求項８０】
下記アミノ酸配列：
(a) 図２０に示された00-1または99-1 MPV単離体のNタンパク質のアミノ酸配列に対して88％を超える同一性を有するアミノ酸配列；
(b) 図２１に示された00-1または99-1 MPV単離体のPタンパク質のアミノ酸配列に対して68％を超える同一性を有するアミノ酸配列；
(c) 図２２に示された00-1または99-1 MPV単離体のMタンパク質のアミノ酸配列に対して87％を超える同一性を有するアミノ酸配列；
(d) 図２３に示された00-1または99-1 MPV単離体のFタンパク質のアミノ酸配列に対して81％を超える同一性を有するアミノ酸配列；
(e) 図２４に示された00-1または99-1 MPV単離体のM2-1タンパク質のアミノ酸配列に対して84％を超える同一性を有するアミノ酸配列；
(f) 図２５に示された00-1または99-1 MPV単離体のM2-2タンパク質のアミノ酸配列に対して56％を超える同一性を有するアミノ酸配列；
(g) 図２８に示された00-1 MPV単離体のLタンパク質のアミノ酸配列に対して90％を超える同一性を有するアミノ酸配列；
(h) 図２６に示された00-1または99-1 MPV単離体のSHタンパク質のアミノ酸配列に対して29％を超える同一性を有するアミノ酸配列；または
(i) 図２７に示された00-1または99-1 MPV単離体のGタンパク質のアミノ酸配列に対して29％を超える同一性を有するアミノ酸配列；
をコードする核酸と前記サンプルとを接触させることをさらに含む、請求項６９、７０、７１、または７２に記載の方法。
【請求項８１】
下記タンパク質：
(a) 図２０に示された00-1または99-1 MPV単離体のNタンパク質のアミノ酸配列に対して88％を超える同一性を有するタンパク質；
(b) 図２１に示された00-1または99-1 MPV単離体のPタンパク質のアミノ酸配列に対して68％を超える同一性を有するタンパク質；
(c) 図２２に示された00-1または99-1 MPV単離体のMタンパク質のアミノ酸配列に対して87％を超える同一性を有するタンパク質；
(d) 図２３に示された00-1または99-1 MPV単離体のFタンパク質のアミノ酸配列に対して81％を超える同一性を有するタンパク質；
(e) 図２４に示された00-1または99-1 MPV単離体のM2-1タンパク質のアミノ酸配列に対して84％を超える同一性を有するタンパク質；
(f) 図２５に示された00-1または99-1 MPV単離体のM2-2タンパク質のアミノ酸配列に対して56％を超える同一性を有するタンパク質；
(g) 図２８に示された00-1 MPV単離体のLタンパク質のアミノ酸配列に対して90％を超える同一性を有するタンパク質；
(h) 図２６に示された00-1または99-1 MPV単離体のSHタンパク質のアミノ酸配列に対して29％を超える同一性を有するタンパク質；または
(i) 図２７に示された00-1または99-1 MPV単離体のGタンパク質のアミノ酸配列に対して29％を超える同一性を有するタンパク質；
に特異的に結合する抗体と前記サンプルとを接触させることをさらに含む、請求項６９、７０、７１、または７２に記載の方法。
【請求項８２】
第１の群の１種以上の核酸と前記サンプルとを接触させることをさらに含み、但し該核酸は第２の群の１種以上の核酸とストリンジェントな条件下でハイブリダイズするものであり、第２の群の１種以上の核酸は、下記配列：
(a) 図２０に示された00-1または99-1 MPV単離体のNタンパク質のアミノ酸配列に対して88％を超える同一性を有する配列；
(b) 図２１に示された00-1または99-1 MPV単離体のPタンパク質のアミノ酸配列に対して68％を超える同一性を有する配列；
(c) 図２２に示された00-1または99-1 MPV単離体のMタンパク質のアミノ酸配列に対して87％を超える同一性を有する配列；
(d) 図２３に示された00-1または99-1 MPV単離体のFタンパク質のアミノ酸配列に対して81％を超える同一性を有する配列；
(e) 図２４に示された00-1または99-1 MPV単離体のM2-1タンパク質のアミノ酸配列に対して84％を超える同一性を有する配列；
(f) 図２５に示された00-1または99-1 MPV単離体のM2-2タンパク質のアミノ酸配列に対して56％を超える同一性を有する配列；
(g) 図２８に示された00-1 MPV単離体のLタンパク質のアミノ酸配列に対して90％を超える同一性を有する配列；
(h) 図２６に示された00-1または99-1 MPV単離体のSHタンパク質のアミノ酸配列に対して29％を超える同一性を有する配列；もしくは
(i) 図２７に示された00-1または99-1 MPV単離体のGタンパク質のアミノ酸配列に対して29％を超える同一性を有する配列；
を含むタンパク質またはその断片をコードし、その配列同一性はタンパク質の全長にわたって決定されるものである、請求項６９、７０、７１、または７２に記載の方法。
【請求項８３】
細胞変性効果が、hRSVまたはhPIVの細胞変性効果と同じである、請求項６９、７０、７１、または７２に記載の方法。
【請求項８４】
ヒト細胞に感染することができる、請求項１に記載の単離されたネガティブセンス一本鎖RNAウイルスMPV。